(57)【要約】【課題】前補液及び後補液を良好に行わせることができるとともに、前補液及び後補液を同時に行う場合であっても、補充液源からの補充液の使用量を正確に把握することができる血液浄化装置を提供することを目的とする。また、本発明は、加温バッグのコストダウンを図ることを付加的な目的とする。【解決手段】補充液源としての補充液小分けチャンバＫの補充液を動脈側血液回路１ａ又は静脈側血液回路１ｂに送液する補液ポンプを具備するとともに、補液ポンプは、第２補液ラインＬ３ｂに配設された第１補液ポンプＰ３と、前補液ラインＬ３ｃに配設された第２補液ポンプＰ２と、後補液ラインＬ３ｄに配設された逆止弁Ｖ１とを具備したものである。【選択図】図１
2020074986.tif 000002
【特許請求の範囲】
【請求項１】
動脈側血液回路及び静脈側血液回路を有するとともに、当該動脈側血液回路及び静脈側血液回路の間に、患者の血液を浄化する血液浄化器が介装された状態で、患者の血液を体外循環させる血液回路と、
前記動脈側血液回路に補充液を導入して前補液する前補液ラインと、
前記静脈側血液回路に補充液を導入して後補液する後補液ラインと、
一端が補充液を供給可能な補充液源に接続されるとともに、他端が前記前補液ライン及び後補液ラインに接続される補液ラインと、
前記補充液源の補充液を、前記前補液ライン及び後補液ラインの少なくとも一方を介して、前記補液ラインから前記動脈側血液回路及び静脈側血液回路の少なくとも一方に送液する補液ポンプと、
前記補液ポンプを制御する制御部と、
を具備した血液浄化装置において、
前記補液ポンプは、前記補液ラインに配設された第１補液ポンプと、前記前補液ライン及び後補液ラインの少なくとも一方に配設された第２補液ポンプとを有する血液浄化装置。
【請求項２】
前記第２補液ポンプは、前記前補液ライン及び後補液ラインの何れか一方のみに配設される請求項１記載の血液浄化装置。
【請求項３】
加温器によって加温されると共に前記補液ラインの一部を内蔵する加温バッグを有し、当該加温バッグは、前記補液ラインにおける前記第１補液ポンプと前記前補液ライン及び後補液ラインの分岐部との間に取り付けられる請求項１又は請求項２記載の血液浄化装置。
【請求項４】
前記補液ラインにおける前記加温器と前記動脈側血液回路又は静脈側血液回路との間には、補充液中の気泡を捕捉し得るエアトラップチャンバが取り付けられる請求項３記載の血液浄化装置。
【請求項５】
前記第１補液ポンプ及び第２補液ポンプは、補充液の流路を構成する可撓性チューブをしごいて送液するしごき型ポンプである請求項１〜４の何れか１つに記載の血液浄化装置。
【請求項６】
前記前補液ライン及び後補液ラインの一方には、前記第２補液ポンプが配設されるとともに、他方には、逆止弁が取り付けられる請求項１〜５記載の血液浄化装置。
【請求項７】
前記補液ライン、前補液ライン及び後補液ラインにおける前記第１補液ポンプと第２補液ポンプの間の液圧を検出する圧力センサを具備するとともに、前記制御部は、当該圧力センサにより検出された液圧に応じて前記第１補液ポンプ又は第２補液ポンプの駆動速度を補正する請求項６記載の血液浄化装置。
【発明の詳細な説明】
【技術分野】
【０００１】
本発明は、患者の血液を体外循環させつつ浄化するための血液浄化装置に関するものである。
【背景技術】
【０００２】
一般に、透析治療を行うための血液浄化装置は、患者の血液を体外循環させるための血液回路を構成する動脈側血液回路及び静脈側血液回路と、血液回路にて体外循環する血液を浄化するための血液浄化手段と、血液回路及び血液浄化手段にて血液浄化治療させるための血液ポンプ等の種々の治療手段が配設された装置本体とを具備している。動脈側血液回路及び静脈側血液回路の先端には、それぞれバスキュラーアクセスカテーテル、或いは穿刺針（動脈側穿刺針及び静脈側穿刺針）が取り付け可能とされる。
【０００３】
そして、例えば動脈側穿刺針及び静脈側穿刺針を患者に穿刺した後、血液ポンプを駆動させることにより、患者の血液が動脈側血液回路及び静脈側血液回路を流動することとなり、その流動過程において血液浄化手段にて血液浄化されるようになっている。また、透析治療においては、血液浄化手段に透析液を導入するための透析液導入ラインと、血液浄化手段から排液を排出するための排液排出ラインとがそれぞれ血液浄化手段に接続されている。
【０００４】
ところで、血液浄化治療においては、血液浄化器の透析液流路に透析液を流通させることにより、血液浄化膜を介して血液中の物質を拡散作用によって除去する血液透析治療（ＨＤ）、血液浄化器において限外濾過圧の作用によって血液中の水分及び物質を除去し、除去した水分と同量の補充液を血液中に注入する血液濾過治療（ＨＦ）、血液透析治療（ＨＤ）及び血液濾過治療（ＨＦ）を同時に行う血液透析濾過（ＨＤＦ）なる治療法が確立されており、特に急性腎不全等の疾患を有する患者に対して血液浄化治療を行う場合、その患者の容態に合わせて、血液透析（ＨＤ）、血液濾過（ＨＦ）及び血液透析濾過（ＨＤＦ）を一治療過程で切り替えて行うこと必要がある。
【０００５】
また、血液濾過治療（ＨＦ）及び血液透析濾過治療（ＨＤＦ）においては、血液浄化器の上流側（動脈側血液回路）に補充液を導入する前補液、血液浄化器の下流側（静脈側血液回路）に補充液を導入する後補液、血液浄化器の上流側及び下流側の両方（動脈側血液回路及び静脈側血液回路）に補充液を導入する前後補液が種々選択されて行われる。このため、近時において、血液透析治療（ＨＤ）、血液濾過治療（ＨＦ）及び血液透析濾過治療（ＨＤＦ）の切り替えが可能とされ、前補液、後補液及び前後補液を任意選択することができる血液浄化装置が望まれている。
【０００６】
このようなニーズに応えるべく、従来、動脈側血液回路に補充液を導入して補液するための前補液ライン、及び静脈側血液回路に補充液を導入して後補液するための後補液ラインと、一端が補充液を供給可能な補充液源に接続されるとともに、他端が前補液ライン及び後補液ラインに接続され、補充液源の補充液を前補液ライン又は後補液ラインを介して動脈側血液回路又は静脈側血液回路に導入する補液ラインとを具備するとともに、前補液ライン及び後補液ラインのそれぞれに補液ポンプを配設したものが提案されている（例えば、特許文献１参照）。
【０００７】
具体的には、従来の血液浄化装置においては、前補液ラインにしごき型ポンプにて構成された補液ポンプが配設されるとともに、後補液ラインにしごき型ポンプにて構成された補液ポンプがそれぞれ配設されていた。そして、前補液を行う場合、前補液ラインに配設された補液ポンプを駆動させ、補充液源の補充液を動脈側血液回路に導入するとともに、後補液を行う場合、後補液ラインに配設された補液ポンプを駆動させ、補充液源の補充液を静脈側血液回路に導入していた。また、前補液及び後補液を同時に行う場合、前補液ラインの補液ポンプ及び後補液ラインの補液ポンプの両方を駆動させ、補充液源の補充液を動脈側血液回路及び静脈側血液回路の両方に導入させていた。
【先行技術文献】
【特許文献】
【０００８】
【特許文献１】特開２００２−１２６０７５号公報
【発明の概要】
【発明が解決しようとする課題】
【０００９】
上記従来の血液浄化装置においては、前補液ライン及び後補液ラインのそれぞれに補液ポンプを配設し、前補液及び後補液を同時に行う場合、当該前補液ラインに配設された補液ポンプと後補液ラインに配設された補液ポンプとの両方を駆動させるため、前補液ラインに配設された補液ポンプ及び後補液ラインに配設された補液ポンプの流量誤差が合算され、より大きな流量誤差が生じる。よって、補充液源からの補充液の使用量を正確に把握することが難しくなっていた。
【００１０】
更なる問題として、前補液ライン及び後補液ラインのそれぞれに補液ポンプを配設するとともに、補液ラインに連結される流路が内部に形成されて加温する加温バッグを有するものにおいては、２つの補液ポンプの補液送液方向上流側に配置する場合、陰圧の影響を受けるため、硬質素材の高価な加温バッグを使用する必要がある。一方、２つの補液ポンプの送液方向下流側に配置する場合、陰圧の影響を受けないものの、加温バッグを２つ配置する必要があり、加温バッグのコストアップになる。
【００１１】
本発明は、このような事情に鑑みてなされたもので、前補液及び後補液を良好に行わせることができるとともに、前補液及び後補液を同時に行う場合であっても、補充液源からの補充液の使用量を正確に把握することができる血液浄化装置を提供することを目的とする。また、本発明は、加温バッグのコストダウンを図ることを付加的な目的とする。
【課題を解決するための手段】
【００１２】
請求項１記載の発明は、動脈側血液回路及び静脈側血液回路を有するとともに、当該動脈側血液回路及び静脈側血液回路の間に、患者の血液を浄化する血液浄化器が介装された状態で、患者の血液を体外循環させる血液回路と、前記動脈側血液回路に補充液を導入して前補液する前補液ラインと、前記静脈側血液回路に補充液を導入して後補液する後補液ラインと、一端が補充液を供給可能な補充液源に接続されるとともに、他端が前記前補液ライン及び後補液ラインに接続される補液ラインと、前記補充液源の補充液を、前記前補液ライン及び後補液ラインの少なくとも一方を介して、前記補液ラインから前記動脈側血液回路及び静脈側血液回路の少なくとも一方に送液する補液ポンプと、前記補液ポンプを制御する制御部とを具備した血液浄化装置において、前記補液ポンプは、前記補液ラインに配設された第１補液ポンプと、前記前補液ライン及び後補液ラインの少なくとも一方に配設された第２補液ポンプとを有する。
【００１３】
請求項２記載の発明は、請求項１記載の血液浄化装置において、前記第２補液ポンプは、前記前補液ライン及び後補液ラインの何れか一方のみに配設される。
【００１４】
請求項３記載の発明は、請求項１又は請求項２記載の血液浄化装置において、加温器によって加温されると共に前記補液ラインの一部を内蔵する加温バッグを有し、当該加温バッグは、前記補液ラインにおける前記第１補液ポンプと前記前補液ライン及び後補液ラインの分岐部との間に取り付けられる。
【００１５】
請求項４記載の発明は、請求項３記載の血液浄化装置において、前記補液ラインにおける前記加温器と前記動脈側血液回路又は静脈側血液回路との間には、補充液中の気泡を捕捉し得るエアトラップチャンバが取り付けられる。
【００１６】
請求項５記載の発明は、請求項１〜４の何れか１つに記載の血液浄化装置において、前記第１補液ポンプ及び第２補液ポンプは、補充液の流路を構成する可撓性チューブをしごいて送液するしごき型ポンプである。
【００１７】
請求項６記載の発明は、請求項１〜５記載の血液浄化装置において、前記前補液ライン及び後補液ラインの一方には、前記第２補液ポンプが配設されるとともに、他方には、逆止弁が取り付けられる。
【００１８】
請求項７記載の発明は、請求項６記載の血液浄化装置において、前記補液ライン、前補液ライン及び後補液ラインにおける前記第１補液ポンプと第２補液ポンプの間の液圧を検出する圧力センサを具備するとともに、前記制御部は、当該圧力センサにより検出された液圧に応じて前記第１補液ポンプ又は第２補液ポンプの駆動速度を補正する。
【発明の効果】
【００１９】
請求項１の発明によれば、補液ポンプは、補液ラインに配設された第１補液ポンプと、前補液ライン及び後補液ラインの少なくとも一方に配設された第２補液ポンプとを有するので、前補液及び後補液を良好に行わせることができるとともに、前補液及び後補液を同時に行う場合であっても、補充液源からの補充液の使用量を正確に把握することができる。
【００２０】
請求項２の発明によれば、第２補液ポンプは、前補液ライン及び後補液ラインの何れか一方のみに配設されるので、前補液ライン及び後補液ラインの両方に第２補液ポンプが配設されたものに比べ、２つの第２補液ポンプの同期を不要とすることができ、前補液ラインによる補充液の使用量及び後補液ラインによる補充液の使用量の誤差を抑制することができる。
【００２１】
請求項３の発明によれば、加温器によって加温されると共に補液ラインの一部を内蔵する加温バッグを有し、当該加温バッグは、補液ラインにおける第１補液ポンプと前補液ライン及び後補液ラインの分岐部との間に取り付けられるので、材質の硬軟を問わず加温バッグを構成することができ、且つ、加温バッグの個数を抑制できる。これにより、加温バッグのコストダウンを図ることが可能である。
【００２２】
請求項４の発明によれば、補液ラインにおける加温器と動脈側血液回路又は静脈側血液回路との間には、補充液中の気泡を捕捉し得るエアトラップチャンバが取り付けられるので、加温器による加温によって補充液中に生じた気泡をエアトラップチャンバにて確実に捕捉して除去することができる。
【００２３】
請求項５の発明によれば、第１補液ポンプ及び第２補液ポンプは、補充液の流路を構成する可撓性チューブをしごいて送液するしごき型ポンプであるので、別個のクランプ手段等を要することなく、しごき型ポンプを停止させることによって、補充液の流路を閉止することができる。
【００２４】
請求項６の発明によれば、前補液ライン及び後補液ラインの一方には、第２補液ポンプが配設されるとともに、他方には、逆止弁が取り付けられるので、第１補液ポンプと第２補液ポンプとの間に陰圧が生じたとしても、逆止弁によって、血液回路内の血液が前補液ライン又は後補液ラインに吸入されてしまうのを防止することができる。
【００２５】
請求項７の発明によれば、補液ライン、前補液ライン及び後補液ラインにおける第１補液ポンプと第２補液ポンプの間の液圧を検出する圧力センサを具備するとともに、制御部は、当該圧力センサにより検出された液圧に応じて第１補液ポンプ又は第２補液ポンプの駆動速度を補正するので、補液ライン、前補液ライン及び後補液ラインにおける第１補液ポンプと第２補液ポンプとの間の補充液の流路に陰圧又は陽圧が生じた場合であっても、第１補液ポンプ又は第２補液ポンプの駆動速度を補正することにより陰圧又は陽圧を解消させることができる。
【図面の簡単な説明】
【００２６】
【図１】本発明の実施形態に係る血液浄化装置を示す模式図
【図２】同血液浄化装置における加温バッグを示す正面図
【図３】本発明の他の実施形態（前補液ラインに逆支弁が接続されるとともに、後補液ラインに第２補液ポンプが配設されたもの）に係る血液浄化装置を示す模式図
【図４】本発明の他の実施形態（前補液ライン及び後補液ラインのそれぞれに第２補液ポンプが配設されたもの）に係る血液浄化装置を示す模式図
【図５】同血液浄化装置における制御手段による制御内容を示すフローチャート
【図６】本発明の他の実施形態に係る血液浄化装置を示す模式図
【図７】本発明の他の実施形態に係る血液浄化装置を示す模式図
【発明を実施するための形態】
【００２７】
以下、本発明の実施形態について図面を参照しながら具体的に説明する。
本実施形態に係る血液浄化装置は、患者の血液を体外循環させつつ浄化するための血液透析装置に適用されたもので、図１に示すように、動脈側血液回路１ａ及び静脈側血液回路１ｂを有する血液回路１と、動脈側血液回路１ａ及び静脈側血液回路１ｂの間に介装されて血液回路１を流れる血液を浄化するダイアライザ２（血液浄化器）と、透析液導入ラインＬ１及び排液排出ラインＬ２と、第１補液ラインＬ３ａ、第２補液ラインＬ３ｂと、前補液ラインＬ３ｃ及び後補液ラインＬ３ｄと、血液ポンプＰ１と、補液移送ポンプＰ４と、第１補液ポンプＰ３と、第２補液ポンプＰ２と、補充液小分けチャンバＫと、制御部４と、加温器Ｈとを具備して構成されている。なお、図中符号Ｐｂは、圧力センサを示している。また、本実施形態に係る血液ポンプＰ１、補液移送ポンプＰ４、第１補液ポンプＰ３、第２補液ポンプＰ２は、流路を構成する可撓性チューブをしごいて送液するしごき型ポンプにて構成されている。
【００２８】
動脈側血液回路１ａ及び静脈側血液回路１ｂには、それぞれの先端にコネクタが接続されており、当該コネクタを介して動脈側穿刺針及び静脈側穿刺針（不図示）が接続可能とされている。そして、動脈側血液回路１ａの先端に接続された動脈側穿刺針及び静脈側血液回路１ｂの先端に接続された静脈側穿刺針を患者に穿刺した状態で、血液ポンプＰ１を駆動させると、血液回路１にて患者の血液を体外循環させ得るようになっている。
【００２９】
すなわち、動脈側穿刺針及び静脈側穿刺針を患者に穿刺した状態において、血液ポンプＰ１を駆動させると、患者の血液は、動脈側血液回路１ａを通ってダイアライザ２に至り、ダイアライザ２によって血液浄化が施された後、静脈側血液回路１ｂを通って患者の体内に戻るようになっている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３０】
また、静脈側血液回路１ｂの途中には、エアトラップチャンバ３が接続されており、血液回路１にて体外循環する血液は、当該エアトラップチャンバ３にて気泡が取り除かれた後、患者に戻ることとなる。なお、動脈側穿刺針及び静脈側穿刺針を患者の血管に穿刺する形態に代えて、ダブルルーメンカテーテルを患者の鎖骨下静脈或いは大腿静脈に挿入、或いは患者の腕の血管に挿入する等の形態であってもよい。
【００３１】
ダイアライザ２は、血液を導入可能な血液導入ポート２ａと、血液を導出可能な血液導出ポート２ｂと、透析液を導入可能な透析液導入ポート２ｃと、透析液を導出可能な透析液導出ポート２ｄと、血液導入ポート２ａ及び血液導出ポート２ｂに亘って延設されて血液を流通可能な血液流路（不図示）と、透析液導入ポート２ｃ及び透析液導出ポート２ｄに亘って延設されて透析液を流通可能な透析液流路（不図示）と、血液流路と透析液流路との間に介在して当該血液流路を流通する血液を浄化し得る血液浄化膜（不図示）とを有している。
【００３２】
より具体的には、ダイアライザ２は、その筐体部に、血液導入ポート２ａ、血液導出ポート２ｂ、透析液導入ポート２ｃ及び透析液導出ポート２ｄが突出形成されており、このうち血液導入ポート２ａには動脈側血液回路１ａが、血液導出ポート２ｂには静脈側血液回路１ｂがそれぞれ接続されるとともに、透析液導入ポート２ｃには第２透析液導入ラインＬ１ｂが、透析液導出ポート２ｄには第１排液排出ラインＬ３ａがそれぞれ接続されるようになっている。さらに、効率的な透析治療を行わせるために、血液の入り口である血液導入ポート２ａと透析液の入り口である透析液導入ポート２ｃの上下方向の位置関係が逆になっており、血液流路にて流通する血液と対向する向きに透析液が流通するよう構成されている。
【００３３】
また、ダイアライザ２内には、複数の中空糸膜が収容されており、この中空糸が血液を浄化するための血液浄化膜を構成している。すなわち、中空糸を構成する血液浄化膜の内部が血液流路とされるとともに、筐体と中空糸との間の空間が透析液流路とされているのである。そして、血液浄化膜は、中空糸膜を形成しており、その外周面と内周面とを貫通した微小な孔（ポア）が多数形成され、当該中空糸該膜を介して血液流路を流通する血液中の不純物等が透析液流路を流通する透析液内に透過（濾過）し得るよう構成されている。
【００３４】
透析液導入ラインＬ１は、透析液を流通させる可撓性チューブから成り、ダイアライザ２の透析液導入ポート２ｃに接続されている。排液排出ラインＬ２は、排液を流通させる可撓性チューブから成り、ダイアライザ２の透析液導出ポート２ｄに接続されている。
【００３５】
第１補液ラインＬ３ａは、補充液収容バッグＢ（補充液収容部）に収容された補充液を補充液小分けチャンバＫに流通させる可撓性チューブから成り、一端が補充液収容バッグＢ（補充液収容部）の下部に接続されるとともに、他端が補充液小分けチャンバＫの下部に接続されている。補充液収容バッグＢは、血液回路１に供給する補充液を所定容量収容したもので、装置本体に取り付けられた支持部（不図示）にて所定高さの位置で支持されている。補充液小分けチャンバＫは、補充液収容バッグＢ（補充液収容部）の補充液を貯留するもので、補充液収容バッグＢより小さい容量の容器から成るものである。
【００３６】
また、第１補液ラインＬ３ａには、補充液の流路を構成する可撓性チューブをしごいて送液するしごき型ポンプから成る補液移送ポンプＰ４が配設されている。しかして、補液移送ポンプＰ４は、駆動によってロータが回転し、ローラが可撓性チューブを長手方向にしごくことにより、補充液収容バッグＢに収容された補充液を補充液小分けチャンバＫに送液して貯留させ得るようになっている。
【００３７】
第２補液ラインＬ３ｂは、補充液小分けチャンバＫに貯留された補充液を前補液ラインＬ３ｃ又は後補液ラインＬ３ｄを介して血液回路１に流通させる可撓性チューブから成り、一端が補充液小分けチャンバＫの下部に接続されるとともに、他端が前補液ラインＬ３ｃ及び後補液ラインＬ３ｄに接続されている。なお、第１補液ラインＬ３ａ及び第２補液ラインＬ３ｂにて本発明の補液ラインが構成されている。
【００３８】
また、第２補液ラインＬ３ｂには、補充液の流路を構成する可撓性チューブをしごいて送液するしごき型ポンプから成る第１補液ポンプＰ３が配設されている。かかる第１補液ポンプＰ３は、駆動によってロータが回転し、ローラが可撓性チューブを長手方向にしごくことにより、補充液小分けチャンバＫに貯留された補充液を前補液ラインＬ３ｃを介して動脈側血液回路１ａ、又は後補液ラインＬ３ｄを介して静脈側血液回路１ｂに送液して補液し得るものである。
【００３９】
さらに、本実施形態に係る第２補液ラインＬ３ｂには、補充液を加温するための加温器Ｈが取り付けられている。かかる加温器Ｈは、補充液小分けチャンバＫから血液回路１に導入される補充液を加温し得るヒータから成るもので、図２に示すような加温バッグ５を取り付け可能とされている。この加温バッグ５は、例えば可撓性のシートを２枚重ねて溶着することによって流路５ａが形成されるとともに、当該流路５ａの一端側及び他端側に第２補液ラインＬ３ｂと接続可能な接続部５ｂ、５ｃを有して構成されている。
【００４０】
またさらに、第２補液ラインＬ３ｂにおける加温器Ｈと動脈側血液回路１ａ又は静脈側血液回路１ｂとの間には、補充液中の気泡を捕捉し得るエアトラップチャンバ６が取り付けられている。しかして、加温器Ｈで加温された補充液中の気泡は、エアトラップチャンバ６にて捕捉されるので、血液回路１に流れてしまうのを防止することができる。
【００４１】
前補液ラインＬ３ｃは、動脈側血液回路１ａに補充液を導入して前補液するための流路から成り、一端が第２補液ラインＬ３ｂに接続されるとともに、他端が動脈側血液回路１ａにおける血液ポンプＰ１とダイアライザ２との間に接続されている。そして、第１補液ポンプＰ３が駆動して補充液小分けチャンバＫから第２補液ラインＬ３ｂにて補充液が送液されると、その補充液が前補液ラインＬ３ｃを介して動脈側血液回路１ａに導入されるようになっている。
【００４２】
後補液ラインＬ３ｄは、静脈血液回路１ｂに補充液を導入して後補液するための流路から成り、一端が第２補液ラインＬ３ｂに接続されるとともに、他端が静脈側血液回路１ｂにおけるエアトラップチャンバ３との間に接続されている。そして、第１補液ポンプＰ３が駆動して補充液小分けチャンバＫから第２補液ラインＬ３ｂにて補充液が送液されると、その補充液が後補液ラインＬ３ｄを介して静脈側血液回路１ｂに導入されるようになっている。
【００４３】
本実施形態に係る前補液ラインＬ３ｃには、補充液の流路を構成する可撓性チューブをしごいて送液するしごき型ポンプから成る第２補液ポンプＰ２が配設されるとともに、後補液ラインＬ３ｄには、補充液の血液回路１に対する流動を許容しつつ反対側への流動を規制する逆止弁Ｖ１が接続されている。また、本実施形態に係る補液ポンプは、補液ライン（第２補液ラインＬ３ｂ）に配設された第１補液ポンプＰ３と、前補液ラインＬ３ｃ及び後補液ラインＬ３ｄの少なくとも一方（本実施形態においては、前補液ラインＬ２ｃ）に配設された第２補液ポンプＰ２とを有して構成されている。
【００４４】
ここで、第２補液ラインＬ３ｂは、本発明の補液ラインを構成するもので、図１に示すように、一端が補充液を供給可能な補充液源（本実施形態においては補充液小分けチャンバＫ）に接続されるとともに、他端が前補液ラインＬ３ｃ及び後補液ラインＬ３ｄに接続され、補充液源（補充液小分けチャンバＫ）の補充液を前補液ラインＬ３ｃ又は後補液ラインＬ３ｄを介して動脈側血液回路１ａ又は静脈側血液回路１ｂに導入するよう構成されている。さらに、補液ライン（第２補液ラインＬ３ｂ）には、第１補液ポンプＰ３が配設されるとともに、前補液ラインＬ３ｃには、第２補液ポンプＰ２が配設されている。
【００４５】
これにより、第１補液ポンプＰ３と略同一の流動となるように第２補液ポンプＰ２を駆動させることにより、補充液小分けチャンバＫの補充液を動脈側血液回路１ａに導入させて前補液することができるとともに、第１補液ポンプＰ３を駆動させつつ第２補液ポンプＰ２を停止させることにより、補充液小分けチャンバＫの補充液を静脈側血液回路１ｂに導入させて後補液することができる。また、第２補液ポンプＰ２を第１補液ポンプＰ３よりも低い送液量となるよう駆動させることにより、動脈側血液回路１ａ及び静脈側血液回路１ｂに補充液を導入させて前後補液することができるようになっている。ここで、制御部５は、第１補液ポンプＰ３及び第２補液ポンプＰ８の送液量の比率を変更するように第１補液ポンプＰ３及び第２補液ポンプＰ８を制御することによって、前捕液量及び後捕液量の比率を変更可能である。
【００４６】
さらに、後補液ラインＬ３ｄには、逆止弁Ｖ１が接続されているので、第１補液ポンプＰ３と第２補液ポンプＰ２との間の流路に陰圧が生じた場合であっても、血液回路１内の血液が後補液ラインＬ３ｄに吸入されてしまうのを防止することができる。なお、第２補液ポンプＰ２の送液量が第１補液ポンプＰ３の送液量より大きい場合に、第１補液ポンプＰ３と第２補液ポンプＰ２との間の流路に陰圧が生じる。また、図３に示すように、前補液ラインＬ３ｃに逆支弁Ｖ１が接続されるとともに、後補液ラインＬ３ｄに第２補液ポンプＰ２が配設されたもの、或いは図４に示すように、前補液ラインＬ３ｃ及び後補液ラインＬ３ｄのそれぞれに第２補液ポンプＰ２が配設されたものとしてもよい。
【００４７】
またさらに、第２補液ラインＬ３ｂ（補液ライン）、前補液ラインＬ３ｃ及び後補液ラインＬ３ｄにおける第１補液ポンプＰ３、第２補液ポンプＰ２及び逆止弁Ｖ１で囲まれた補充液の流路の液圧を検出する圧力センサＰｂを具備するとともに、制御部４は、当該圧力センサＰｂにより検出された液圧に応じて第１補液ポンプＰ３又は第２補液ポンプＰ２の駆動速度を補正するようになっている。
【００４８】
例えば、第２補液ラインＬ３ｂ（補液ライン）、前補液ラインＬ３ｃ及び後補液ラインＬ３ｄにおける第１補液ポンプＰ３、第２補液ポンプＰ２及び逆止弁Ｖ１で囲まれた補充液の流路に陰圧が生じた場合の制御部４による制御について、図５のフローチャートに基づいて説明する。先ず、圧力センサＰｂで検出された補充液の圧力（補充液圧）が規定値より小さいか否か判定され（Ｓ１）、規定値より小さいと判定されると、Ｓ２に進み、下流側ポンプである第２補液ポンプＰ２の駆動速度を低下させる。一方、Ｓ１にて、圧力センサＰｂで検出された補充液の圧力（補充液圧）が規定値より大きいと判定されると、Ｓ２をスキップする。
【００４９】
一方、補充液小分けチャンバＫの各上部は、エアフィルタＦを介して大気開放されており、貯留した液体が流出すると各小分けチャンバ内に空気が導入されるとともに、液体が流入すると各小分けチャンバから空気が排出されるようになっている。
【００５０】
制御部４は、補液ポンプ（第１補液ポンプＰ３及び第２補液ポンプＰ２）を制御するもので、装置本体に取り付けられたマイコン等から成る。本実施形態に係る制御部４は、計測工程において、透析液をダイアライザ２に導入し、第１補液ポンプＰ３（必要に応じて第２補液ポンプＰ２）を駆動して補充液小分けチャンバＫに貯留された補充液を血液回路１に導入する。このとき、補液移送ポンプＰ４は停止した状態となっている。
【００５１】
本実施形態によれば、補充液源（補充液小分けチャンバＫ）の補充液を動脈側血液回路１ａ又は静脈側血液回路１ｂに送液する補液ポンプは、補液ライン（第２補液ラインＬ３ｂ）に配設された第１補液ポンプＰ３と、前補液ラインＬ３ｃ及び後補液ラインＬ３ｄの少なくとも一方に配設された第２補液ポンプＰ２とを有するので、前補液及び後補液を良好に行わせることができるとともに、前補液及び後補液を同時に行う場合であっても、補充液源（補充液小分けチャンバＫ）からの補充液の使用量を正確に把握することができる。
【００５２】
また、本実施形態に係る第２補液ポンプＰ２は、前補液ラインＬ３ｃ及び後補液ラインＬ３ｄの何れか一方のみ（本実施形態においては前補液ラインＬ３ｃのみ）に配設されたので、前補液ラインＬ３ｃ及び後補液ラインＬ３ｄの両方に第２補液ポンプＰ２が配設されたもの（図４参照）に比べ、２つの第２補液ポンプＰ２の同期を不要とすることができ、前補液ラインＬ３ｃによる補充液の使用量及び後補液ラインＬ３ｄによる補充液の使用量の誤差を抑制することができる。
【００５３】
さらに、加温器Ｈによって加温されると共に補液ライン（第２補液ラインＬ３ｂ）の一部を内蔵する加温バッグ５を有するため、加温器Ｈによって、前補液ラインＬ３ｃ及び後補液ラインＬ３ｄを流通する補充液の加温できる。更に、当該加温バッグ５は、補液ライン（第２補液ラインＬ３ｂ）における第１補液ポンプＰ３と前補液ラインＬ３ｃ及び後補液ラインＬ３ｄの分岐部との間に取り付けられるので、第１補液ポンプＰ３の動作時に生じる陰圧の影響を受けにくい場所、且つ、前補液ラインＬ３ｃ及び後補液ラインＬ３ｄの分岐前である補液ラインの所定の場所に、加温バッグ５が配置される。従って、材質の硬軟を問わず加温バッグ５を構成することができると共に、加温バッグ５の個数を抑制でき、加温バッグのコストダウンを図ることが可能である。
【００５４】
またさらに、補液ライン（第２補液ラインＬ３ｂ）における加温器Ｈと動脈側血液回路１ａ又は静脈側血液回路１ｂとの間には、補充液中の気泡を捕捉し得るエアトラップチャンバ６が取り付けられたので、加温器Ｈによる加温によって補充液中に生じた気泡をエアトラップチャンバ６にて確実に捕捉して除去することができる。なお、図６に示すように、前補液ラインＬ３ｃにエアトラップチャンバ６を接続することにより、前補液ラインＬ３ｃを流れた補充液中の気泡をエアトラップチャンバ６にて捕捉するとともに、後補液ラインＬ３ｄを流れた補充液中の気泡を静脈側血液回路１ｂのエアトラップチャンバ３にて捕捉するようにしてもよい。
【００５５】
また、第１補液ポンプＰ３及び第２補液ポンプＰ２は、補充液の流路を構成する可撓性チューブをしごいて送液するしごき型ポンプから成り、補液ライン（第２補液ラインＬ３ｂ）、前補液ラインＬ３ｃ（又は後補液ラインＬ３ｄ）に配設されたので、別個のクランプ手段等を要することなく、しごき型ポンプを停止させることによって、補充液の流路を閉止することができる。
【００５６】
さらに、前補液ラインＬ３ｃ又は後補液ラインＬ３ｄは、一方に第２補液ポンプＰ２が配設されるとともに、他方に逆止弁Ｖ１が取り付けられたので、第１補液ポンプＰ３と第２補液ポンプＰ２との間に陰圧が生じたとしても、逆止弁Ｖ１によって、血液回路１内の血液が前補液ラインＬ３ｃ又は後補液ラインＬ３ｄに吸入されてしまうのを防止することができる。
【００５７】
またさらに、補液ライン（第２補液ラインＬ３ｂ）、前補液ラインＬ３ｃ及び後補液ラインＬ３ｄにおける第１補液ポンプＰ３、第２補液ポンプＰ２及び逆止弁Ｖ１で囲まれた補充液の流路の液圧（補液ライン、前補液ラインＬ３ｃ及び後補液ラインＬ３ｄにおける第１補液ポンプＰ３と第２補液ポンプＰ２の間の液圧）を検出する圧力センサＰｂを具備するとともに、制御部４は、当該圧力センサＰｂにより検出された液圧に応じて第１補液ポンプＰ３又は第２補液ポンプＰ２の駆動速度を補正するので、補液ライン（第２補液ラインＬ３ｂ）、前補液ラインＬ３ｃ及び後補液ラインＬ３ｄにおける第１補液ポンプＰ３、第２補液ポンプＰ２及び逆止弁Ｖ１で囲まれた補充液の流路に陰圧又は陽圧が生じた場合であっても、第１補液ポンプＰ３又は第２補液ポンプＰ２の駆動速度を補正することにより陰圧又は陽圧を解消させることができる。
【００５８】
以上、本実施形態について説明したが、本発明はこれらに限定されず、例えば図７に示すように、補充液小分けチャンバＫを介さずに、補液ラインＬ３ｂに補充液源としての補充液収容バッグＢを直接接続させるものであってもよい。この場合、補液ラインＬ３ｂに第１補液ポンプＰ３が配設されるとともに、前補液ラインＬ３ｃ又は後補液ラインＬ３ｄの少なくとも一方（同図においては前補液ラインＬ３ｃのみ）に第２補液ポンプＰ２が配設されている。なお、補充液収容バッグＢは、可撓性の容器にて構成されているが、これに代えて、硬質の容器や液相等で構成された補充液収容部としてもよい。また、本実施形態のように、補液ライン（第２補液ラインＬ３ｂ）における第１補液ポンプＰ３と前補液ラインＬ３ｃ及び後補液ラインＬ３ｄの分岐部との間にのみ、加温バッグ５を配置する構成が望ましいが、これに限らず、他の場所に加温バッグ５を配置しても良い。例えば、前補液ラインＬ３ｃ及び後補液ラインＬ３ｄに加温バッグ５を設けることも可能である。また、本実施形態では、補液ライン（第２補液ラインＬ３ｂ）における第１補液ポンプＰ３と前補液ラインＬ３ｃ及び後補液ラインＬ３ｄの分岐部との間に、単一の加温バッグ５を配置するが、例えば、複数の加温バッグ５を配置しても良い（複数個に分割して配置しても良い）。
【産業上の利用可能性】
【００５９】
補液ラインに配設された第１補液ポンプと、前補液ライン及び後補液ラインの少なくとも一方に配設された第２補液ポンプとを有する補液ポンプを具備した血液浄化装置であれば、他の機能が付加されたもの等であってもよい。
【符号の説明】
【００６０】
１  血液回路
１ａ  動脈側血液回路
１ｂ  静脈側血液回路
２  ダイアライザ（血液浄化器）
３  エアトラップチャンバ
４  制御部
５  加温バッグ
６  エアトラップチャンバ
Ｋ  補充液小分けチャンバ
Ｂ  補充液収容バッグ（補充液収容部）
Ｌ１  透析液導入ライン
Ｌ２  排液排出ライン
Ｌ３ａ  第１補液ライン
Ｌ３ｂ  第２補液ライン
Ｌ３ｃ  前補液ライン
Ｌ３ｄ  後補液ライン
Ｐ１  血液ポンプ
Ｐ２  第２補液ポンプ
Ｐ３  第１補液ポンプ
Ｐ４  補液移送ポンプ
Ｈ  加温器
【図１】
2020074986.tif 000003
【図２】
2020074986.tif 000004
【図３】
2020074986.tif 000005
【図４】
2020074986.tif 000006
【図５】
2020074986.tif 000007
【図６】
2020074986.tif 000008
【図７】
2020074986.tif 000009